Podtech/llm-jp-corpus-v4-ja_patent huggingface dataset:
【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
式Ｉ
【化１】
2015523337.tif 000001
の化合物の製造方法であって、
（１ａ）出発化合物
【化２】
2015523337.tif 000002
を、ｐ−チオクレゾールおよびＮ，Ｎ−ジイソプロピルエチルアミン（ＤＩＰＥＡ）と接触させて、化合物１ａ
【化３】
2015523337.tif 000003
を生成し；次いで
（１ｂ）化合物１ａを、トリメチルシリル化（ＴＭＳ）試薬ＴＭＳ−Ｌｉ−アセチリドと溶液中で接触させて、化合物１ｂ
2015523337.tif 000004
を生成し；次いで
（２）化合物１ｂを、アセトニトリル（ＭｅＣＮ）中でＨＣｌ水溶液と接触させ、続いて安息香酸無水物および４−ジメチルアミノピリジン（ＤＭＡＰ）と反応させ、続いてジメチルホルムアミド（ＤＭＦ）中でＫ３ＰＯ４溶液と反応させて、化合物２
【化４】
2015523337.tif 000005
を生成し；次いで
（３）化合物２を、化合物Ｎ，Ｎ−ビス−ＴＭＳ−チミン
【化５】
2015523337.tif 000006
と接触させて、化合物３
【化６】
2015523337.tif 000007
を生成し；次いで
（４ａ）化合物３を、クロラミンＴまたはフェニルヨウ素（ビス）トリフルオロアセテート（ＰＩＦＡ）と接触させて、化合物４ａ
【化７】
2015523337.tif 000008
［式中、Ｘ＝ＯまたはＮＴである］
を生成し；次いで
（４ｂ）化合物４ａを、ジメチルスルホキシド（ＤＭＳＯ）またはｎ−ブチルアルコール（ｎ−ＢｕＯＨ）と接触させ、加熱して、化合物４ｂ
【化８】
2015523337.tif 000009
を生成し；次いで
（５）化合物４ｂを、１，８−ジアザビシクロウンデカ−７−エン（ＤＢＵ）およびＭｅＯＨ、またはＴＨＦ中でＮａＯＨと接触させて、安息香酸エステル加水分解を行い、式Ｉの化合物を生成することを特徴とする方法。
【請求項２】
ステップ（５）からの式Ｉの化合物を結晶化することをさらに特徴とする、請求項１に記載の方法。
【請求項３】
前記結晶化が、ＥｔＯＨ／ヘプタン、またはトルエン中でテトラヒドロフラン（ＴＨＦ）を用いて行われるものである、請求項２に記載の方法。
【請求項４】
ステップ（１ａ）中の溶媒が、トルエンである、請求項１に記載の方法。
【請求項５】
ステップ（１ｂ）中の溶液が、ＴＨＦの冷溶液である、請求項１に記載の方法。
【請求項６】
前記溶液が、約−４０℃〜−６０℃の温度である、請求項５に記載の方法。
【請求項７】
前記化合物２が、トルエンおよびヘプタンの混合液から結晶化されるものである、請求項１に記載の方法。
【請求項８】
ステップ（３）中のＮ，Ｎ−ビス−ＴＭＳ−チミンが、アセトニトリル中のトリメチルシリルトリフルオロメタンスルホネート（ＴＭＳＯＴｆ）溶液中である、請求項１に記載の方法。
【請求項９】
前記クロラミンＴが、アセトニトリル溶液中である、請求項１に記載の方法。
【請求項１０】
前記ＰＩＦＡが、ＤＭＦおよび水溶液中である、請求項１に記載の方法。
【請求項１１】
ステップ（５）において、前記ＮａＯＨが、ＴＨＦ水溶液中である、請求項１に記載の方法。
【請求項１２】
ステップ（２）において、前記アセトニトリル中のＨＣｌが、トルエン中のジイソブチルアルミニウムヒドリド（ＤＩＢＡＬ−Ｈ）と置換されている、請求項１に記載の方法。
【請求項１３】
ステップ（２）において、前記アセトニトリル中のＨＣｌが、有機溶剤および水中のリパーゼＭＹと置換されている、請求項１に記載の方法。
【請求項１４】
化合物１ｂの製造方法であって、
（１ａ）出発化合物
【化９】
2015523337.tif 000010
を、ｐ−チオクレゾールおよびＮ，Ｎ−ジイソプロピルエチルアミン（ＤＩＰＥＡ）と接触させて、化合物１ａ
【化１０】
2015523337.tif 000011
を生成し；次いで
（１ｂ）化合物１ａを、トリメチルシリル化（ＴＭＳ）試薬ＴＭＳ−Ｌｉ−アセチリドと溶液中で接触させて、化合物１ｂ
2015523337.tif 000012
を生成することを特徴とする方法。
【請求項１５】
化合物２の製造方法であって、化合物１ｂを、アセトニトリル（ＭｅＣＮ）中でＨＣｌ水溶液と接触させ、続いて安息香酸無水物および４−ジメチルアミノピリジン（ＤＭＡＰ）と反応させ、続いてジメチルホルムアミド（ＤＭＦ）中でＫ３ＰＯ４溶液と反応させて、化合物２
【化１１】
2015523337.tif 000013
を生成することを特徴とする方法。
【請求項１６】
化合物３の製造方法であって、
化合物２を、化合物Ｎ，Ｎ−ビス−ＴＭＳ−チミン
【化１２】
2015523337.tif 000014
と接触させて、化合物３
【化１３】
2015523337.tif 000015
を生成することを特徴とする方法。
【請求項１７】
化合物４ｂの製造方法であって、
化合物３
【化１４】
2015523337.tif 000016
を、アセトニトリル中でクロラミンＴと接触させて、化合物４ａ
【化１５】
2015523337.tif 000017
［式中、Ｘ＝ＮＴである］
を生成し；次いで
（４ｂ）化合物４ａを、ジメチルスルホキシド（ＤＭＳＯ）またはｎ−ブチルアルコール（ｎ−ＢｕＯＨ）と接触させ、加熱して、化合物４ｂ
【化１６】
2015523337.tif 000018
を生成することを特徴とする方法。
【請求項１８】
化合物４ｂの製造方法であって、
化合物３
【化１７】
2015523337.tif 000019
を、トルエン／水混合液中でＰＩＦＡと接触させて、化合物４ａ
【化１８】
2015523337.tif 000020
［式中、Ｘ＝Ｏである］
を生成し；次いで
（４ｂ）化合物４ａを、ジメチルスルホキシド（ＤＭＳＯ）と接触させ、加熱して、化合物４ｂ
【化１９】
2015523337.tif 000021
を生成することを特徴とする方法。
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
同時、個別または逐次投与のための、
（ａ）式
【化１】
2015523397.tif 000001
のＣＤＫ４／６阻害剤またはその薬学的に許容される塩と、
（ｂ）式
【化２】
2015523397.tif 000002
のＢ−Ｒａｆ阻害剤またはその薬学的に許容される塩と
を含む、組合せ医薬。
【請求項２】
ＭＥＫ１／２阻害剤をさらに含む、請求項１に記載の組合せ医薬。
【請求項３】
前記ＭＥＫ１／２阻害剤が、式
【化３】
2015523397.tif 000003
の化合物またはその薬学的に許容される塩である、請求項２に記載の組合せ医薬。
【請求項４】
治療を必要としている対象における増殖性疾患の治療において使用するための、請求項１、２または３のいずれか一項に記載の組合せ医薬。
【請求項５】
増殖性疾患の治療のための薬剤の調製において使用するための、請求項１、２または３のいずれか一項に記載の組合せ医薬。
【請求項６】
前記増殖性疾患が、メラノーマ、肺がん（非小細胞肺がん（ＮＳＣＬＣ）を含む）、大腸がん（ＣＲＣ）、乳がん、腎がん、腎細胞癌（ＲＣＣ）、肝がん、急性骨髄性白血病（ＡＭＬ）、骨髄異形成症候群（ＭＤＳ）、甲状腺がん、膵がん、神経線維腫症、または肝細胞癌である、請求項４に記載の組合せ医薬。
【請求項７】
前記増殖性疾患が、Ｂ−Ｒａｆ変異によって特徴付けられる、請求項６に記載の組合せ医薬。
【請求項８】
増殖性疾患の治療のための薬剤の製造のための、請求項１、２または３のいずれか一項に記載の組合せ医薬の使用。
【請求項９】
前記増殖性疾患が、メラノーマ、肺がん、大腸がん（ＣＲＣ）、乳がん、腎がん、腎細胞癌（ＲＣＣ）、肝がん、急性骨髄性白血病（ＡＭＬ）、骨髄異形成症候群（ＭＤＳ）、非小細胞肺がん（ＮＳＣＬＣ）、甲状腺がん、膵がん、神経線維腫症、または肝細胞癌である、請求項８に記載の使用。
【請求項１０】
前記増殖性疾患が、Ｂ−Ｒａｆ変異によって特徴付けられる、請求項９に記載の使用。
【請求項１１】
前記増殖性疾患が、Ｂ−ＲａｆＶ６００変異によって特徴付けられる、請求項９に記載の使用。
【請求項１２】
前記増殖性疾患が、メラノーマまたは大腸がんである、請求項１１に記載の使用。
【請求項１３】
請求項１、２または３のいずれか一項に記載の組合せ医薬を含む、組合せ製剤。
【請求項１４】
請求項１、２または３のいずれか一項に記載の組合せ医薬を含む、医薬組成物。
【手続補正２】
【補正対象書類名】明細書
【補正対象項目名】０１１４
【補正方法】変更
【補正の内容】
【０１１４】
【表７】
2015523397.tif 000004
以下に、本願の当初の特許請求の範囲に記載された発明を付記する。
［１］  同時、個別または逐次投与のための、
（ａ）式
【化８】
2015523397.tif 000005
のＣＤＫ４／６阻害剤またはその薬学的に許容される塩と、
（ｂ）式
【化９】
2015523397.tif 000006
のＢ−Ｒａｆ阻害剤またはその薬学的に許容される塩と
を含む、組合せ医薬。
［２］  ＭＥＫ１／２阻害剤をさらに含む、［１］に記載の組合せ医薬。
［３］  前記ＭＥＫ１／２阻害剤が、式
【化１０】
2015523397.tif 000007
の化合物またはその薬学的に許容される塩である、［１］に記載の組合せ医薬。
［４］  治療を必要としている対象における増殖性疾患の治療において使用するための、［１］、［２］または［３］のいずれかに記載の組合せ医薬。
［５］  増殖性疾患の治療のための薬剤の調製において使用するための、［１］、［２］または［３］のいずれかに記載の組合せ医薬。
［６］  前記増殖性疾患が、メラノーマ、肺がん（非小細胞肺がん（ＮＳＣＬＣ）を含む）、大腸がん（ＣＲＣ）、乳がん、腎がん、腎細胞癌（ＲＣＣ）、肝がん、急性骨髄性白血病（ＡＭＬ）、骨髄異形成症候群（ＭＤＳ）、甲状腺がん、膵がん、神経線維腫症、または肝細胞癌である、［４］に記載の組合せ医薬。
［７］  前記増殖性疾患が、Ｂ−Ｒａｆ変異によって特徴付けられる、［６］に記載の組合せ医薬。
［８］  増殖性疾患の治療のための薬剤の製造のための、［１］、［２］または［３］のいずれかに記載の組合せの使用。
［９］  ヒト患者における増殖性疾患を治療する方法であって、［１］、［２］または［３］のいずれかに記載の組合せ医薬の治療有効量を前記患者に同時、個別または逐次投与することを含む、方法。
［１０］  前記増殖性疾患が、メラノーマ、肺がん、大腸がん（ＣＲＣ）、乳がん、腎がん、腎細胞癌（ＲＣＣ）、肝がん、急性骨髄性白血病（ＡＭＬ）、骨髄異形成症候群（ＭＤＳ）、非小細胞肺がん（ＮＳＣＬＣ）、甲状腺がん、膵がん、神経線維腫症、または肝細胞癌である、［９］に記載の方法。
［１１］  前記増殖性疾患が、Ｂ−Ｒａｆ変異によって特徴付けられる、［１０］に記載の方法。
［１２］  前記増殖性疾患が、Ｂ−ＲａｆＶ６００変異によって特徴付けられる、［１０］に記載の方法。
［１３］  前記増殖性疾患が、メラノーマまたは大腸がんである、［１２］に記載の方法。
［１４］  ［１］、［２］または［３］のいずれかに記載の組合せ医薬を含む、組合せ製剤。
［１５］  ［１］、［２］または［３］のいずれかに記載の組合せ医薬を含む、医薬組成物。
【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
間質性肺疾患および／または肺線維症の予防、管理、または処置における使用のための、哺乳動物の肺への液体噴霧器による噴霧化吸入投与に適した水性の医薬組成物であって、
医薬組成物はピルフェニドン、水、及び共溶媒、等張化剤、甘味料、界面活性剤、湿潤剤、キレート剤、抗酸化剤、塩、及び緩衝剤から選択される１以上の追加の成分を含む、水性の医薬組成物。
【請求項２】
ピルフェニドンはヒトに一日当たり１、２、３、または４回の投与量で送達される、請求項１に記載の水性の医薬組成物。
【請求項３】
連続的な毎日の投与スケジュールでの投与にさらに適している、請求項１または２に記載の水性の医薬組成物。
【請求項４】
水性の医薬組成物中のピルフェニドンの濃度は、０．１ｍｇ／ｍＬから１００ｍｇ／ｍＬ、例えば、０．５ｍｇ／ｍＬから３０ｍｇ／ｍＬなどのような０．１ｍｇ／ｍＬから６０ｍｇ／ｍＬである、請求項１乃至３に記載の水性の医薬組成物。
【請求項５】
医薬組成物は約５０ｍＯｓｍｏｌ／ｋｇから約６０００ｍＯｓｍｏｌ／ｋｇまでの浸透圧を有する、請求項１乃至４のいずれか１つに記載の水性の医薬組成物。
【請求項６】
医薬組成物はｐＨ４．０からｐＨ８．０のｐＨを有する、請求項１乃至５のいずれか１つに記載の水性の医薬組成物。
【請求項７】
医薬組成物の約０．０１乃至約２．０重量パーセントの量の１つ以上の塩を含む、請求項１乃至６のいずれか１つに記載の水性の医薬組成物。
【請求項８】
各液体噴霧器の充填投与量は０．１ｍｇ乃至２００ｍｇのピルフェニドンであり、例えば、０．１ｍｇ乃至９０ｍｇのピルフェニドンである、請求項１乃至７のいずれか１つに記載の水性の医薬組成物。
【請求項９】
特発性肺線維症の予防、管理、または処理で使用される、請求項１乃至８のいずれか１つに記載の水性の医薬組成物。
【請求項１０】
各投与量は水性の医薬組成物の約０．１乃至約６ｍＬを含む、請求項１乃至９のいずれか１つに記載の水性の医薬組成物。
【請求項１１】
患者に送達されるピルフェニドンの毎日の総投与量は１０００ｍｇ未満である、請求項１乃至１０のいずれか１つに記載の水性の医薬組成物。
【請求項１２】
クエン酸塩バッファー又はリン酸塩バッファー、ならびに、塩化ナトリウム、塩化マグネシウム、臭化ナトリウム、臭化マグネシウム、塩化カルシウム、及び臭化カルシウムである塩の１つ以上を含む、請求項１乃至１１のいずれか１つに記載の水性の医薬組成物。
【請求項１３】
哺乳動物への１以上の追加の治療剤と組み合わせた投与にさらに適している、請求項１乃至１２のいずれか１つに記載の水性の医薬組成物。
【請求項１４】
８０１ｍｇの経口投与形態のピルフェニドンの哺乳動物への投与後に達成されるよりも、高い肺組織Ｃｍａｘが哺乳動物への単回の液体噴霧器の充填投与量の投与後に達成され、および、
８０１ｍｇの経口投与形態のピルフェニドンの哺乳動物への投与後に達成されるよりも、低い血漿ＡＵＣが哺乳動物への単回の液体噴霧器の充填投与量の投与後に達成される、
請求項１に記載の水性の医薬組成物。
【請求項１５】
液体噴霧器は、ジェット噴霧器、超音波噴霧器、拍動膜式の噴霧器、多くの孔を備えた振動性のメッシュまたはプレートを含む噴霧器、あるいは、振動発生器と水性チャンバーを含む噴霧器であり、
液体噴霧器は、
（ｉ）ヒトに投与されるピルフェニドンの少なくとも７％の肺沈着を達成し、
（ｉｉ）約１．０μｍ乃至約２．５μｍの水溶液の放出された液滴直径分布の幾何学的な標準偏差（ＧＳＤ）をもたらし、
（ｉｉｉ）
ａ）約１μｍ乃至約５μｍの液体噴霧器で放出された水溶液の液滴直径の空気動力学的中央粒子径（ＭＭＡＤ）、
ｂ）約１μｍ乃至約５μｍの容量平均径（ＶＭＤ）、及び／又は、
ｃ）約１μｍ乃至約５μｍの質量中央径（ＭＭＤ）、
を提供し、
（ｉｖ）少なくとも約３０％の液体噴霧器から放出された液滴の微粒子画分（ＦＰＦ＝％≦５μｍ）を提供し、
（ｖ）少なくとも０．１ｍＬ／ｍｉｎの消費速度を提供し、及び／又は、
（ｖｉ）水溶液の少なくとも約２５％を哺乳動物に与える、請求項１乃至１４のいずれか１つに記載の水性の医薬組成物。
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
ガラスウエットエッチングプロセスにおいてスラッジの量を制御する方法であって、ＨＦエッチャント溶液内の水素イオン濃度をエッチャント槽への第２の強酸の添加によって制御しながらガラスをエッチングする工程を含む方法において、
前記エッチャント槽内の沈殿量が下の式：
沈殿 (ｇ/Ｌ)＝因子Ａ−(Ｋｓｐ/(因子Ｂ/因子Ｃ))＋因子Ｄ
にしたがって選ばれるレベルに制御され、ここで、
因子Ａは、前記溶解ガラスのレベルであり、
因子Ｂは、前記ＨＦの濃度であり、
因子Ｃは、前記第２の酸の濃度−前記第２の酸は強酸であり、
因子Ｄは、温度またはイオン強度の少なくとも１つを変えることで制御される前記沈殿の溶解度定数，Ｋｓｐである、
ことを特徴とする方法。
【請求項２】
前記第２の強酸が、ＨＣｌ、ＨＣｌＯ４，ＨＮＯ３及びＨ２ＳＯ４からなる群から選ばれることを特徴とする請求項１に記載の方法。
【請求項３】
前記第２の強酸がＨＣｌ及びＨ２ＳＯ４からなる群からなることを特徴とする請求項１に記載の方法。
【請求項４】
エッチングされる前記ガラスが、アルミノケイ酸ガラス、ホウケイ酸ガラス及びアルミノホウケイ酸ガラスからなる群から選ばれる、酸化物ガラスであることを特徴とする請求項１から３のいずれかに記載の方法。
【請求項５】
エッチングされる前記ガラスが、アルカリ金属、アルカリ土類金属、アルミニウム、ジルコニウム、鉄及びチタンからなる群から選ばれる少なくとも１つの金属を含む、酸化物ガラスであることを特徴とする請求項１から３のいずれかに記載の方法。
【請求項６】
前記エッチングプロセスが１５℃から４０℃の範囲にある温度で実施されることを特徴とする請求項１から５のいずれかに記載の方法。
【請求項７】
前記エッチングプロセスが２０℃から３５℃の範囲にある温度で実施されることを特徴とする請求項１から５のいずれかに記載の方法。
【請求項８】
前記エッチャント槽内の遊離プロトン濃度が、１.０Ｍから４Ｍの範囲にあるＨＦ濃度に対して０.５Ｍから５.０Ｍの範囲に維持されることを特徴とする請求項１から７のいずれかに記載の方法。
【請求項９】
前記エッチャント槽が、酸であるＨＦ及びＨＣｌを含み、前記エッチャント槽内の遊離プロトン濃度が、１.０Ｍから３．５Ｍの範囲にあるＨＦ濃度に対して０.５Ｍから６.０Ｍの範囲に維持されることを特徴とする請求項１から７のいずれかに記載の方法。
【請求項１０】
前記エッチャント槽が、酸であるＨＦ及びＨ２ＳＯ４を含み、前記エッチャント槽内の遊離プロトン濃度が、１.０Ｍから４Ｍの範囲にあるＨＦ濃度に対して０.５Ｍから５.０Ｍの範囲に維持されることを特徴とする請求項１から７のいずれかに記載の方法。
【誤訳訂正書】
【提出日】平成28年4月6日(2016.4.6)
【誤訳訂正１】
【訂正対象書類名】明細書
【訂正対象項目名】００２８
【訂正方法】変更
【訂正の内容】
【００２８】
イオン交換によりガラスを強化するこれらの実施形態では、ガラスをイオン交換して、いくつかの実施形態では少なくとも約６００メガパスカル（ＭＰａ）未満、他の実施形態では少なくとも８００ＭＰａの圧縮応力下にある表面層を生成できる。この圧縮表面層は、少なくとも約３０マイクロメートル（μｍ）の層深さを有する。本明細書に記載のイオン交換されたガラスは、ある程度の固有の、即ちそれ自体の損傷耐性（ＩＤＲ）も有し、この損傷耐性は、１０重量キログラム（ｋｇｆ）（約９８Ｎ）以上のビッカース亀裂開始閾値を特徴とするものであってよい。いくつかの実施形態では、イオン交換したガラスは約２０ｋｇｆ（約１９６Ｎ）〜約３０ｋｇｆ（約２９４Ｎ）の範囲のビッカース亀裂開始閾値を有する。他の実施形態では、イオン交換したガラスは、約３０ｋｇｆ（約２９４Ｎ）〜約３５ｋｇｆ（約３４３Ｎ）の範囲のビッカース亀裂開始閾値を有する。本明細書に記載のビッカース亀裂開始閾値の測定は、ガラス表面に対して０．２ｍｍ／分の速度で押込荷重を印加して除去することにより実施する。最大押込荷重を１０秒間保持する。亀裂開始閾値は、１０回の押込みのうち５０％が、押込み跡の角から発するいずれの数の放射状／中心方向亀裂を呈するような押込荷重として定義される。最大負荷を所定のガラス組成に適合するまで増加させる。全ての押込測定は、５０％の相対湿度において室温で実施する。
【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
バーナガス入口ブロック、下部フロープレート、上部フロープレート、バーナガス流分散器及びバーナガス放出ブロックを備える、バーナモジュールであって、
前記バーナガス入口ブロックは、前記バーナガス入口ブロックの基部に配置された複数のガス入口及びガス入口チャネル仕切りによって区切られた複数のガス入口チャネルを備え、
前記ガス入口チャネルは、前記バーナガス入口ブロックの前記ガス入口から前記バーナガス入口ブロックの出口面まで延在し、
前記バーナガス流分散器は、分散チャネル仕切りによって区切られた複数の分散チャネルを備え、
前記分散チャネルは、前記バーナガス流分散器の入口面から前記バーナガス流分散器の出口面まで延在し、
前記分散チャネル仕切りはそれぞれ、前記バーナガス流分散器の前記入口面にナイフエッジ下部フロープレート接触面を備え、
前記バーナガス放出ブロックは、前記バーナガス放出ブロックのバーナ面に位置する複数の開口、及びガス放出チャネル仕切りによって区切られた複数のガス放出チャネルを備え、
前記ガス放出チャネルは、前記バーナガス放出ブロックの入口面から複数のバーナ面チャネルまで延在し、
前記バーナ面チャネルは、前記ガス放出チャネルから前記バーナ面に位置する前記開口まで延在し、
前記ガス放出チャネル仕切りはそれぞれ、前記バーナガス放出ブロックの前記入口面にナイフエッジ上部フロープレート接触面を備え、
前記下部フロープレートは、長手方向に延在する下部フロープレートランドによって区切られた複数の下部フロープレート圧力孔を備え、
前記複数の下部フロープレート圧力孔はそれぞれ、前記ガス入口チャネルのうちの１つ及び前記分散チャネルのうちの１つと流体連通し、
前記上部フロープレートは、長手方向に伸長する上部フロープレートランドによって区切られた複数の上部フロープレート圧力孔を備え、
前記複数の上部フロープレート圧力孔はそれぞれ、前記分散チャネルのうちの１つ及び前記ガス放出チャネルのうちの１つと流体連通し、
前記バーナモジュールは、前記バーナ面に近接した燃焼ゾーン内でバーナ火炎を発生させるために、燃焼ガス、酸化剤、スート前駆体及び不活性ガスを、前記ガス入口、前記ガス入口チャネル、前記下部フロープレート圧力孔、前記分散チャネル、前記上部フロープレート圧力孔、前記ガス放出チャネル、前記複数のバーナ面チャネル及び前記複数の開口を通して化学蒸着プロセスの燃焼場所に送達するように構成される、バーナモジュール。
【請求項２】
前記バーナモジュールは、燃焼ガス源、酸化剤源、不活性ガス源及びスート前駆体源を更に備え、
前記複数のガス入口は、少なくとも１つの燃焼ガス入口、少なくとも１つの酸化剤入口、少なくとも１つの不活性ガス入口及び少なくとも１つの前駆体入口を備え、
前記少なくとも１つの燃焼ガス入口は、前記燃焼ガス源から前記バーナモジュールに前記燃焼ガスを提供し、
前記少なくとも１つの酸化剤入口は、前記酸化剤源から前記バーナモジュールに前記酸化剤を提供し、
前記少なくとも１つの不活性ガス入口は、前記不活性ガス源から前記バーナモジュールに前記不活性ガスを提供し、
前記少なくとも１つの前駆体入口は、前記スート前駆体源から前記バーナモジュールに前記スート前駆体を提供する、請求項１に記載のバーナモジュール。
【請求項３】
前記ナイフエッジ下部フロープレート接触面及び前記ナイフエッジ上部フロープレート接触面は、それぞれナイフエッジ幅を含み、
前記分散チャネル仕切り及び前記ガス放出チャネル仕切りは、チャネル仕切り幅を備え、
前記チャネル仕切り幅は、前記ナイフエッジ幅よりも大きい、請求項１又は請求項２に記載のバーナモジュール。
【請求項４】
前記上部フロープレート、前記下部フロープレート又は前記上部フロープレート及び前記下部フロープレートの両方は、直径０．０２インチ（０．０５０８センチ）〜０．０３インチ（０．０７６２センチ）の圧力孔を備える、請求項１〜３のいずれか１項に記載のバーナモジュール。
【請求項５】
ガラス板又はガラスリボンを形成する方法であって、
前記方法は、回転式ドラムの蒸着面に複数のガラススート粒子を蒸着してスートシートを形成するステップ、前記回転式ドラムの前記蒸着面から前記スートシートの少なくとも一部を取り外すステップ、及び移動する前記スートシートの一部を焼結温度に加熱することによって前記スートシートの少なくとも一部を焼結して高密度化ガラスとするステップを含み、
前記ガラススート粒子は、バーナガス入口ブロック、下部フロープレート、上部フロープレート、バーナガス流分散器及びバーナガス放出ブロックを備えるバーナモジュールによって生成され、
前記バーナガス入口ブロックは、前記バーナガス入口ブロックの基部に配置される複数のガス入口、及びガス入口チャネル仕切りによって区切られた複数のガス入口チャネルを備え、
前記ガス入口チャネルは、前記バーナガス入口ブロックの前記基部から前記バーナガス入口ブロックの出口面まで延在し、
前記バーナガス流分散器は、分散チャネル仕切りによって区切られた複数の分散チャネルを備え、
前記分散チャネルは、前記バーナガス流分散器の入口面から前記バーナガス流分散器の出口面まで延在し、
前記分散チャネル仕切りはそれぞれ、前記バーナガス流分散器の前記入口面にナイフエッジ下部フロープレート接触面を備え、
前記バーナガス放出ブロックは、前記バーナガス放出ブロックのバーナ面に位置する複数の開口、及びガス放出チャネル仕切りによって区切られた複数のガス放出チャネルを備え、
前記ガス放出チャネルは前記バーナガス放出ブロックの入口面から複数のバーナ面チャネルまで延在し、前記バーナ面チャネルは前記ガス放出チャネルから前記バーナ面に位置する前記開口まで延在し、
前記ガス放出チャネル仕切りはそれぞれ、前記バーナガス放出ブロックの前記入口面にナイフエッジ上部フロープレート接触面を備え、
前記下部フロープレートは、長手方向に延在する下部フロープレートランドによって区切られる複数の下部フロープレート圧力孔を備え、
前記複数の下部フロープレート圧力孔はそれぞれ、前記ガス入口チャネルのうちの１つ及び前記分散チャネルのうちの１つと流体連通し、
前記上部フロープレートは、長手方向に延在する上部フロープレートランドによって区切られる複数の上部フロープレート圧力孔を備え、
前記複数の上部フロープレート圧力孔はそれぞれ、前記分散チャネルのうちの１つ及び前記ガス放出チャネルのうちの１つと流体連通し、
前記バーナモジュールは、前記バーナ面に近接した燃焼ゾーン内でバーナ火炎を発生させるために、燃焼ガス、酸化剤、スート前駆体及び不活性ガスを、前記ガス入口、前記ガス入口チャネル、前記下部フロープレート圧力孔、前記分散チャネル、前記上部フロープレート圧力孔、前記ガス放出チャネル、前記複数のバーナ面チャネル及び前記複数の開口を通して化学蒸着プロセスの燃焼場所に送達するように構成される、方法。
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
厚さｔ＜０．５ｍｍを有する強化ガラス物品であって、
前記物品の表面から該物品内の少なくとも３０μｍの層の深さＤＯＬまで延在し、少なくとも６００ＭＰａの圧縮応力ＣＳ下にある外側領域と、
中央張力ＣＴ下にある内側領域と、
を含み、
−３８．７（ＭＰａ／ｍｍ）・ｌｎ（ｔ）（ｍｍ）＋４８．２（ＭＰａ）≦ＣＴ（ＭＰａ）≦５７（ＭＰａ）−９．０（ＭＰａ／ｍｍ）・ｌｎ（ｔ）（ｍｍ）＋４９．３（ＭＰａ／ｍｍ）・ｌｎ２（ｔ）（ｍｍ）であり、
前記強化ガラス物品が、該強化ガラス物品を破断するのに十分な点衝撃を受けた時に、実質的に非脆性であり、３未満の脆性指数を有することを特徴とする、強化ガラス物品。
【請求項２】
厚さｔ＜０．５ｍｍを有する強化ガラス物品であって、
前記物品の表面から該物品内の少なくとも３０μｍの層の深さＤＯＬまで延在し、少なくとも６００ＭＰａの圧縮応力ＣＳ下にある外側領域と、
中央張力ＣＴ下の内側領域と、
を含み、
ＣＴ（ＭＰａ）＞−３８．７（ＭＰａ／ｍｍ）・ｌｎ（ｔ）（ｍｍ）＋４８．２（ＭＰａ）であり、
前記強化ガラス物品が、該強化ガラス物品を破断するのに十分である点衝撃を受けた時に、実質的に非脆性であり、３未満の脆性指数を有することを特徴とする、強化ガラス物品。
【請求項３】
前記強化ガラス物品が前記点衝撃によって破断された時に、０％≦ｎ１≦５％の破片サイズｎ１（％≦１ｍｍ）、０個の破片／ｃｍ２≦ｎ２≦３個の破片／ｃｍ２の破片密度ｎ２（破片／ｃｍ２）、０≦ｎ３≦５の亀裂の分岐ｎ３および０％≦ｎ４≦２％の飛散ｎ４（％≧５ｃｍ）の少なくとも１つ、またはそれらの組合せを示すことを特徴とする、請求項１または２に記載の強化ガラス物品。
【請求項４】
前記外側領域が少なくとも７００ＭＰａの圧縮応力を有することを特徴とする、請求項１から３いずれか１項に記載の強化ガラス物品。
【請求項５】
前記外側領域が少なくとも約５２μｍの層の深さを有することを特徴とする、請求項１から４いずれか１項に記載の強化ガラス物品。
【請求項６】
前記強化ガラス物品の前記厚さが０．３≦ｔ＜０．５ｍｍであることを特徴とする、請求項１から５いずれか１項に記載の強化ガラス物品。
【請求項７】
前記強化ガラス物品の前記厚さが０．３≦ｔ≦０．４５ｍｍであることを特徴とする、請求項１から６いずれか１項に記載の強化ガラス物品。
【請求項８】
アルカリアルミノケイ酸塩ガラスを含むことを特徴とする、請求項１から７いずれか１項に記載の強化ガラス物品。
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
リンス剤供給部からのリンス剤によって内視鏡の内視鏡チャネルをリンスするための方法であって、
−第１のリンス剤分配器を介して第１の内視鏡チャネルを前記リンス剤供給部に接続するステップであって、前記第１のリンス剤分配器は、内視鏡チャネルに閉塞があるかをチェックするための試験機器を有している、ステップと、
−第２のリンス剤分配器を介して少なくとも１つの他の内視鏡チャネルを前記リンス剤供給部に接続するステップと、
−前記第１の内視鏡チャネルに閉塞があるかを前記試験機器によってチェックし、また同時に、前記リンス剤供給部からのリンス剤によって前記少なくとも１つの他の内視鏡チャネルをリンスするステップと、
を含む方法。
【請求項２】
前記ステップが反復され、前記第１の内視鏡チャネルとしての別の内視鏡チャネルが、前記第１のリンス剤分配器を介して前記リンス剤供給部にそれぞれ接続されることを特徴とする請求項１に記載の方法。
【請求項３】
前記リンス剤の流量または圧力が、内視鏡チャネルに閉塞があるかをチェックするために前記試験機器によって測定または決定されることを特徴とする請求項１または２に記載の方法。
【請求項４】
内視鏡チャネルについてのチェックが閉塞を示すとすぐに、当該方法は中止されることを特徴とする請求項１から３のいずれか１項に記載の方法。
【請求項５】
リンス剤供給部からのリンス剤によって内視鏡の内視鏡チャネルをリンスするための装置であって、第１のリンス剤分配器および第２のリンス剤分配器を備え、前記第１のリンス剤分配器および前記第２のリンス剤分配器のそれぞれが、前記リンス剤供給部、ならびに、前記リンス剤供給部からそれぞれ１つの内視鏡チャネル内にリンス剤を給送するための多数のリンスチャネルに接続され、切換え弁が、それぞれのリンスチャネルのために設けられ、前記切換え弁によって、前記リンスチャネルが、前記切換え弁の第１位置で前記第１のリンス剤分配器に接続され、また、前記切換え弁の第２位置で前記第２のリンス剤分配器に接続され、前記第１のリンス剤分配器が第１の試験機器を備え、前記第１の試験機器によって、前記リンスチャネルのうちの１つのチャネルを介して前記第１のリンス剤分配器に接続された内視鏡チャネルに、閉塞があるかチェックされうる装置。
【請求項６】
前記第２のリンス剤分配器が第２の試験機器を有することを特徴とする請求項５に記載の装置。
【請求項７】
第１の試験機器および／または第２の試験機器が、流量計または圧力計を備えることを特徴とする請求項５または６に記載の装置。
【請求項８】
リンス剤分配器が、リンス剤チャンバまたはリンス剤リザーバとして設計されることを特徴とする請求項５から７のいずれか１項に記載の装置。
【請求項９】
切換え弁が、自動的に制御可能な作動機構を有することを特徴とする請求項５から８のいずれか１項に記載の装置。
【請求項１０】
リンスチャネルが、前記対応する切換え弁の第３の位置で前記リンス剤分配器のどれとも接続されないことを特徴とする請求項５から９のいずれか１項に記載の装置。
【請求項１１】
指定可能な圧力下で前記リンス剤供給部からのリンス剤を少なくとも１つのリンス剤分配器に供給するためにリンス剤ポンプを備えることを特徴とする請求項５から１０のいずれか１項に記載の装置。
【請求項１２】
前記リンス剤供給部から前記第１のリンス剤分配器までの供給ライン内に、少なくとも１つの接続可能な圧力ブースタポンプを備えることを特徴とする請求項５から１１のいずれか１項に記載の装置。
【請求項１３】
請求項１から４のいずれか１項に記載の方法における、請求項５から１２のいずれか１項に記載の装置の使用。
【手続補正２】
【補正対象書類名】明細書
【補正対象項目名】００５３
【補正方法】変更
【補正の内容】
【００５３】
１つの試験機器２４が供給ライン２１と供給ライン２３の両方の中に設けられることによって、内視鏡チャネルは、２つの独立した方法で、閉塞があるかチェックされうる。特に、冗長試験が行われうる。それにより、たとえば、実際には開口している内視鏡チャネルが、切換え弁３２ａ〜３２ｄが一方の側で遮断されるため遮断されているものとして誤って表示されること、分配器２０、２２または不良の供給ライン２１、２３に関する問題が排除されうる。
【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
トレハロース６−リン酸ホスホリラーゼ（ＴｒｅＰＰ）活性及びセロビオース特異的ＰＴＳ系ＩＩＣコンポーネント（ｐｔｃＣ）活性を欠くグラム陽性菌を含む組成物。
【請求項２】
該組成物が医薬組成物であり、さらに薬学的に許容される担体を含む請求項１に記載の組成物。
【請求項３】
該グラム陽性菌が、乳酸菌（ＬＡＢ）又はビフィズス菌である請求項１又は２に記載の組成物。
【請求項４】
該乳酸菌が、ラクトコッカス・ラクティスである請求項３に記載の組成物。
【請求項５】
該グラム陽性菌が、トレハローストランスポーターをコードする１つ又は複数の遺伝子を過剰発現する請求項１〜４のいづれか一に記載の組成物。
【請求項６】
該トレハローストランスポーターをコードする１つ又は複数の遺伝子が、グラム陽性菌に内因性である請求項５に記載の組成物。
【請求項７】
トレハローストランスポーターをコードする１つ又は複数の該遺伝子の過剰発現が、構成的である請求項５又は６に記載の組成物。
【請求項８】
該グラム陽性菌が、１つ又は複数の異種遺伝子産物を発現する請求項１〜７のいづれか一に記載の組成物。
【請求項９】
該１つ又は複数の異種遺伝子産物が、１つ又は複数の予防的及び／又は治療的な遺伝子産物又は抗原である請求項８に記載の組成物。
【請求項１０】
該グラム陽性菌が、乾燥、噴霧乾燥、凍結又はフリーズドライされている請求項１〜９のいづれか一に記載の組成物。
【請求項１１】
内因性ＴｒｅＰＰをコードする遺伝子が、機能的なＴｒｅＰＰ遺伝子産物を生産できないように部分的若しくは完全に欠失、破壊若しくは不活性化されている請求項１〜１０のいづれか一に記載の組成物。
【請求項１２】
機能的なｐｔｃＣ遺伝子産物を産生することが不可能なように内因性ｐｔｃＣをコードする遺伝子が部分的若しくは完全に欠失、破壊若しくは不活性化されている請求項１〜１１のいづれか一に記載の組成物。
【請求項１３】
該グラム陽性菌が、機能的な異種トレハロース６−リン酸ホスファターゼを含有しない、請求項１〜１２のいづれか一に記載の組成物。
【請求項１４】
該組成物が、食品の調製のためのスターター培養物である請求項１〜１３のいづれか一に記載の組成物。
【請求項１５】
該組成物が、食品添加物である請求項１〜１３のいづれか一に記載の組成物。
【請求項１６】
該組成物が、プロバイオティック組成物である請求項１〜１３のいづれか一に記載の組成物。
【請求項１７】
請求項１〜１６のいずれか一項に記載の組成物と、グラム陽性菌によって発酵させることが可能な基質材料とを含む、食品。
【請求項１８】
トレハロース６−リン酸ホスホリラーゼ（ＴｒｅＰＰ）活性を欠き、以下の特性のいずれか一方又は両方を更に有する、グラム陽性菌：（ｉ）前記グラム陽性菌がセロビオース特異的ＰＴＳ系ＩＩＣコンポーネント（ｐｔｃＣ）活性を欠く；（ｉｉ）前記グラム陽性菌が、１つ又は複数のトレハローストランスポーターを過剰発現する。
【請求項１９】
該グラム陽性菌が、乳酸菌（ＬＡＢ）又はビフィズス菌である請求項１８に記載のグラム陽性菌。
【請求項２０】
乳酸菌が、ラクトコッカス・ラクティスである請求項１９に記載のグラム陽性菌。
【請求項２１】
該グラム陽性菌が、機能的な異種トレハロース６−リン酸ホスファターゼを含有しない、請求項１８〜２０のいづれか一に記載のグラム陽性菌。
【請求項２２】
１つ又は複数の異種遺伝子産物を含む、請求項１８〜２１のいづれか一に記載のグラム陽性菌。
【請求項２３】
該１つ又は複数の異種遺伝子産物が、１つ又は複数の予防的及び／又は治療的な遺伝子産物又は抗原である、請求項２２に記載のグラム陽性菌。
【請求項２４】
トレハロース６−リン酸ホスホリラーゼ（ＴｒｅＰＰ）活性及びセロビオース特異的ＰＴＳ系ＩＩＣコンポーネント（ｐｔｃＣ）活性を欠くグラム陽性菌を含む組成物とグラム陽性菌によって発酵させることが可能な基質材料とを混合することを含む、又はこれに加えて該基質材料を発酵させることを更に含む、食品を調製する方法。
【請求項２５】
グラム陽性菌においてトレハロースを内因的に蓄積させる方法であって、トレハロース６−リン酸ホスホリラーゼ（ＴｒｅＰＰ）活性を欠くグラム陽性菌を、グラム陽性菌によって発酵させることが可能な基質材料を含む培地中で、増殖させることを含み、そこで機能的なｔｒｅＰＰ遺伝子産物を産生することが不可能なように内因性ＴｒｅＰＰをコードする遺伝子が部分的又は完全に欠失、破壊又は不活性化されている、方法。
【請求項２６】
培養培地が炭素源として、又は主要な若しくは唯一の炭素源としてマルトース若しくはグルコース又はマルトース及びグルコースの組合せを含む、請求項２５に記載の方法。
【請求項２７】
前記培養培地が実質的に外部から添加されたトレハロースを含有しない、請求項２５又は２６に記載の方法。
【請求項２８】
グラム陽性菌のストレス抵抗性又は製造特性、加工特性及び／又は保存特性を改善する方法であって、機能的なｔｒｅＰＰ遺伝子産物を産生することが不可能なように内因性トレハロース６−リン酸ホスホリラーゼ（ＴｒｅＰＰ）をコードする遺伝子が部分的又は完全に欠失、破壊又は不活性化されるように該グラム陽性菌を改変することを含む、方法。
【請求項２９】
該ストレス抵抗性又は製造特性、加工特性及び／又は保存特性が、酸性条件に対する抵抗性、熱に対する抵抗性、塩に対する抵抗性、胆汁塩に対する抵抗性、乾燥、噴霧乾燥、凍結若しくはフリーズドライに対する抵抗性、及び浸透圧抵抗性を含む群から一つ若しくは複数選択される、請求項２８に記載の方法。
【請求項３０】
前記グラム陽性菌が機能的な異種トレハロース６−リン酸ホスファターゼを含有しない、請求項２４〜２９のいずれか一項に記載の方法。
【請求項３１】
前記グラム陽性菌がｐｔｃＣ活性を欠く、請求項２５〜３０のいづれか一に記載の方法。
【請求項３２】
機能的なｐｔｃＣ遺伝子産物を産生することが不可能なように内因性ｐｔｃＣをコードする遺伝子が部分的又は完全に欠失、破壊又は不活性化されている、請求項３１に記載の方法。
【請求項３３】
前記グラム陽性菌がトレハローストランスポーターをコードする１つ又は複数の遺伝子を過剰発現する、請求項２４〜３２のいずれか一項に記載の方法。
【請求項３４】
前記グラム陽性菌が１つ又は複数の異種遺伝子産物を発現する、請求項２４〜３３のいずれか一項に記載の方法。
【請求項３５】
前記グラム陽性菌が、さらに乾燥、凍結、噴霧乾燥又はフリーズドライすることを含む、請求項２４〜３４のいずれか一項に記載の方法。
【誤訳訂正書】
【提出日】平成28年10月3日(2016.10.3)
【誤訳訂正１】
【訂正対象書類名】特許請求の範囲
【訂正対象項目名】全文
【訂正方法】変更
【訂正の内容】
【特許請求の範囲】
【請求項１】
幹細胞のための細胞培養系であって、前記細胞培養系は、
少なくとも０．３ｍＭのアルブミンを含む細胞培養培地と、
ラミニンおよびカドヘリンを含む基質と
を含み、前記ラミニンが、完全なタンパク質、または他のラミニン分子および基底板分子ならびに膜結合受容体に結合することができるタンパク質断片であり、
前記基質が、前記幹細胞に構造的支持体を提供し、
前記ラミニンがラミニン−５２１であり、
前記カドヘリンがＥ−カドヘリンであり、
前記ラミニン対前記カドヘリンの重量比が５：１〜１０：１である、細胞培養系。
【請求項２】
前記アルブミンがヒト血清アルブミンである、請求項１に記載の系。
【請求項３】
前記基質および前記培地が、いかなる分化阻害剤も、フィーダー細胞も、分化誘導物質も、アポトーシス阻害剤も含有しない、請求項１に記載の系。
【誤訳訂正２】
【訂正対象書類名】明細書
【訂正対象項目名】０２０３
【訂正方法】変更
【訂正の内容】
【０２０３】
次に、ラミニン−５２１およびＥ−カドヘリンの組み合わせは、組み合わせにより細胞のクローン性生存を保持することができるかどうかを決定するために試験した。固定量のラミニン−５２１を、滴定したＥ−カドヘリンと組み合わせて、細胞培養ディッシュのコーティングに使用した。細胞のクローン性生存は、約１：１０ｗ／ｗ〜約１：５ｗ／ｗを含む、Ｅ−カドヘリン対ラミニン−５２１の様々な比で達成された。
【誤訳訂正３】
【訂正対象書類名】明細書
【訂正対象項目名】０２０４
【訂正方法】変更
【訂正の内容】
【０２０４】
ｍＴｅＳＲ１培地に対する様々な改変の効果を試験するために追加の試験を実行した。約１：１０ｗ／ｗの比の、Ｅ−カドヘリン対ラミニン−５２１の混合物を、プレートをコーティングするために使用した。予想外に、アルブミン濃度における２×の増加が、ラミニン−５２１／Ｅ−カドヘリンマトリックス上でのｈＥＳ細胞のクローン性生存を著しく改善したことが発見された。これらの条件下での、個々に区別されたｈＥＳ細胞生存の率は、１０〜１５％であり、ｍＴｅＳＲ１培地およびアルブミンをさらに有するｍＴｅＳＲ１培地の両方において、Ｍａｔｒｉｇｅｌのみの上、ラミニン−５２１のみの上、またはＥ−カドヘリンのみの上の細胞のそれよりも少なくとも１桁高かった。細胞の経時的写真法により、ラミニン−５２１／Ｅ−カドヘリンコーティングが、様々な細胞の凝集を介してではなく単細胞の増殖を介して細胞生存を促進したことを確認した。ラミニン−５２１／Ｅ−カドヘリンは、同様に、組換えヒト血清アルブミン（ｒＨＳＡ）を追加した、十分に化学的に特定され、かつ異種由来成分不含ＴｅＳＲ２培地において細胞のクローン性生存を保持した。
【誤訳訂正書】
【提出日】平成28年10月14日(2016.10.14)
【誤訳訂正１】
【訂正対象書類名】明細書
【訂正対象項目名】０２２６
【訂正方法】変更
【訂正の内容】
【０２２６】
式(I)の例示的な化合物を表1に示す。
【表１】
2014526510.tif 000001
2014526510.tif 000002
2014526510.tif 000003
2014526510.tif 000004
2014526510.tif 000005
2014526510.tif 000006
2014526510.tif 000007
2014526510.tif 000008
2014526510.tif 000009
2014526510.tif 000010
2014526510.tif 000011
2014526510.tif 000012
2014526510.tif 000013
2014526510.tif 000014
2014526510.tif 000015
2014526510.tif 000016
2014526510.tif 000017
2014526510.tif 000018
2014526510.tif 000019
2014526510.tif 000020
2014526510.tif 000021
2014526510.tif 000022
2014526510.tif 000023
2014526510.tif 000024
2014526510.tif 000025
2014526510.tif 000026
2014526510.tif 000027
2014526510.tif 000028
2014526510.tif 000029
2014526510.tif 000030
2014526510.tif 000031
2014526510.tif 000032
2014526510.tif 000033
2014526510.tif 000034
2014526510.tif 000035
2014526510.tif 000036
2014526510.tif 000037
2014526510.tif 000038
2014526510.tif 000039
2014526510.tif 000040
2014526510.tif 000041
2014526510.tif 000042
2014526510.tif 000043
2014526510.tif 000044
2014526510.tif 000045
2014526510.tif 000046
【誤訳訂正書】
【提出日】平成28年8月25日(2016.8.25)
【誤訳訂正１】
【訂正対象書類名】特許請求の範囲
【訂正対象項目名】全文
【訂正方法】変更
【訂正の内容】
【特許請求の範囲】
【請求項１】
ブレンドであって、ブレンドの重量に基づき：
Ａ．８０重量％〜１００重量％未満の塩化ビニリデン（ＶＤＣ）共重合体；及び
Ｂ．０重量％超〜１５重量％のポリ（ブチレンサクシネート）（ＰＢＳ）；を含み、
前記ＶＤＣ共重合体が、アクリル酸アルキル、アルキルメタクリレート又はアクリロニトリルモノマーのうちの１つ以上に由来するマーユニットを含み、
前記ＰＢＳが、４０，０００〜１，０００，０００ダルトンの分子量を有する、ブレンド。
【請求項２】
組成物であって、組成物の重量に基づき：
Ａ．８０重量％〜１００重量％未満の塩化ビニリデン（ＶＤＣ共重合体）；
Ｂ．０重量％超〜１５重量％のポリ（ブチレンサクシネート）（ＰＢＳ）；及び
Ｃ．１つ以上の添加剤；を含み、
前記ＶＤＣ共重合体が、アクリル酸アルキル、アルキルメタクリレート又はアクリロニトリルモノマーのうちの１つ以上に由来するマーユニットを含み、
前記ＰＢＳが、４０，０００〜１，０００，０００ダルトンの分子量を有する、組成物。
【請求項３】
前記ＶＤＣ共重合体が、塩化ビニリデンモノマーに由来する７０モル％以上のマーユニットを含む、請求項２に記載の組成物。
【請求項４】
前記ＶＤＣ共重合体が、塩化ビニリデン及びアクリル酸メチルモノマーに由来するマーユニットからなる、請求項３に記載の組成物。
【請求項５】
請求項２〜４のいずれか一項に記載の組成物から製造したフィルム。
【誤訳訂正２】
【訂正対象書類名】明細書
【訂正対象項目名】００４２
【訂正方法】変更
【訂正の内容】
【００４２】
（実施例１）
ポリ（カプロラクトン）の代わりにポリ（ブチレンサクシネート）（昭和高分子により製造されたＢＩＯＮＯＬＬＥ（商標）１００１）を使用したことを除き、比較例Ｂを繰り返した。同一条件下でフィルムをエージングし、縦方向及び横方向においてエルメンドルフ引き裂き耐性を測定したところ、１３±１ｇ／ミル及び７４±８ｇ／ミルであり、かつＯＴＲは４．２ｃｃ−ミル／（１００ｉｎ２）／日であった。本実施例のエルメンドルフ引き裂き耐性は比較例Ａで記録されたものよりも良好であったが、但し、比較例Ｂで記録されたエルメンドルフ引き裂き耐性とおおよそ同程度であり、ＯＴＲは２倍良好であった。
【誤訳訂正書】
【提出日】平成28年2月5日(2016.2.5)
【誤訳訂正１】
【訂正対象書類名】明細書
【訂正対象項目名】００２１
【訂正方法】変更
【訂正の内容】
【００２１】
カーカスゴム混合物が、金属補強材、特に、鋼製コードをゴム引きするのに使用される場合、有機コバルト塩と、強化樹脂とに基づく鋼製コード接着系、及び２．５ｐｈｒを超える硫黄を使用することが好ましい。
【誤訳訂正２】
【訂正対象書類名】特許請求の範囲
【訂正対象項目名】請求項７
【訂正方法】変更
【訂正の内容】
【請求項７】
前記接着剤系が、有機コバルト塩と、強化樹脂とに基づく鋼製コード接着剤系、及び２．５ｐｈｒを超える硫黄であることを特徴とする、請求項６に記載の空気式タイヤ。
【手続補正書】
【提出日】平成27年12月7日(2015.12.7)
【手続補正１】
【補正対象書類名】特許請求の範囲
【補正対象項目名】全文
【補正方法】変更
【補正の内容】
【特許請求の範囲】
【請求項１】
T細胞リンパ腫の治療用医薬の調製のための、ロミデプシン及びアザシチジンの組み合わせの使用。
【請求項２】
前記T細胞リンパ腫が、再発性、難治性、又は、従来の療法に対して抵抗性である、請求項1記載の使用。
【請求項３】
前記T細胞リンパ腫が、皮膚T細胞リンパ腫(CTCL)、又は、末梢性T細胞リンパ腫(PTCL)である、請求項1記載の使用。
【請求項４】
前記CTCLが、難治性又は再発性CTCLである、請求項3記載の使用。
【請求項５】
前記PTCLが、難治性又は再発性PTCLである、請求項3記載の使用。
【請求項６】
ロミデプシンが、1日あたり0.5〜28mg/m2の量であり、アザシチジンが、1日あたり50〜500mg/m2の量である、請求項1記載の使用。
【請求項７】
アザシチジン及びロミデプシンが静脈内投与用に製剤化されるか、又は、ロミデプシンが静脈内投与用に製剤化され、かつアザシチジンが経口投与用に製剤化される、請求項6記載の使用。
【請求項８】
アザシチジンの量が、1日あたり約50、75、100、150、200、250、300又は350mg/m2である、請求項7記載の使用。
【請求項９】
ロミデプシンの量が、1日あたり約8、10、12又は14mg/m2である、請求項7記載の使用。
【請求項１０】
ロミデプシンが、1日あたり10〜300mg/m2の量であり、アザシチジンが、1日あたり50〜500mg/m2の量である、請求項1記載の使用。
【請求項１１】
アザシチジンが静脈内投与用に製剤化され、ロミデプシンが経口投与用に製剤化される、請求項10記載の使用。
【請求項１２】
アザシチジンが皮下投与用に製剤化され、ロミデプシンが経口投与用に製剤化される、請求項10記載の使用。
【請求項１３】
アザシチジン及びロミデプシンが経口投与用に製剤化される、請求項10記載の使用。
【請求項１４】
ロミデプシンの量が、1日あたり約25〜約200mg/m2である、請求項10記載の使用。
【請求項１５】
ロミデプシンの量が、1日あたり約50、75又は100mg/m2である、請求項14記載の使用。
【請求項１６】
アザシチジンの量が、1日あたり約50、75、100、150、200、250、300又は350mg/m2である、請求項10〜15のいずれか１項記載の使用。
【請求項１７】
セザリー症候群の治療用医薬の調製のための、ロミデプシン及びアザシチジンの組み合わせの使用。
【請求項１８】
ロミデプシンが、1日あたり0.5〜28mg/m2の量であり、アザシチジンが、1日あたり50〜500mg/m2の量である、請求項19記載の使用。